(57)【要約】      （修正有）【課題】冬の乾燥期に暖湿気マスクで、風邪などの予防、治療をし、治療薬や予防薬を持続的に発散吸入し、さらに夏のマスクの装着抵抗を少なくする。【解決手段】マスクに水分器をつけ水分を毛細管現象で移動させ、さらにカイロを付けて水分を断続的に蒸発させる。【選択図】  図１
2004188146.tif 000002
【特許請求の範囲】
【請求項１】
マスクの内側を継続的に湿った部分又は固体や液体を置く。湿った部分や固体若しくは液体を体温や外気温で継続的に蒸発や昇華させる。
マスクの湿った部分や固体や液体などに温度が必要の場合は、カイロを付けて温めて継続的に蒸発や昇華させて、マスク内を高湿暖気にしたり、薬や香料などを気化充満にして吸い使う。  多量の水分補給は別の器部分から毛細管現象で補給をする。  固体で昇華や発散する物は、マスク内に入れるか、貼り付けて発散させ継続的に使用する。  少量液体物などは、直接マスク内に入れるか、貼り付けて移動する毛細管現象は使わず、緩慢に漏らし継続的に充満発散させ使用する。
マスクの内側を継続的に冷凍庫で凍らせて冷やした物を置き、冷気を吸う。
マスク内に必要な高湿暖気や冷気、薬気物などを、マスク外の器で作りホースで移動して吸ったり、または身体に掛けて使う。
マスクの外側を継続的に湿った部分を作り、湿った部分は体温や外気温で継続的に蒸発させ、奪われる気化熱でマスク内を冷やす。  水分補給は別の器部分から毛細管現象で補給をする。
【発明の詳細な説明】
【０００１】
【産業上の利用分野】
本発明は、冬になると外空気が乾燥して、健康に注意していても風邪に罹ってしまう。風邪ウイルスは乾燥には強く多湿には弱いので、常に湿った暖気を何処に居ても吸う事が可能であれば予防及び治療になる。
なお、このマスク内蒸発や昇華方法で行えば、水分に治療薬や予防薬そして香料などを入れれば、投与による急激な血中濃度上昇などの抵抗が少なく、使用者への痛みなどの負担や、わずらしさが少なく長時間の持続が期待出来る。
美容的にも損なわれる事が少なく使用出来る。
このマスクが薬の気道への持続的投与方法であるので、呼吸器系以外の医療にも使える。  貼り薬使用の皮膚炎が、経口投与の誤嚥、注射の痛みと針汚染、肛門への恥ずかしなど不具合があるが、このマスクによる気道への持続的投与方法は、他の方法と比較して負担が少なく使いよい。
夏の花粉症そして塵埃、職業上でのマスクの装着はつらいが、抵抗が少なくなり、循環呼吸器予防にもなる。
真夏の屋外スポーツや観戦そして屋外レジャー、屋外産業活動は帽子を被っていても暑いので、新帽子を被って頭を冷やし、冷気を振りかければしのぎやすくなる。
【０００２】
【従来の技術】
従来から冬の乾燥してる時には、風邪の予防には湿った暖気が良い。その為に、加湿器などで室内の湿度を上げて風邪の予防は可能であったが、一旦外出すると乾燥で風邪に感染罹りやすかった。
鼻、喉は肺への防御器官、たとえ、従来のマスクをしても、自分の吐き出した湿暖気を再度少し吸って補っていただけで、充分な湿度と暖気を吸入してはいなかった。
従来の鼻から気道への薬の投与方法は、吹き付け、塗り薬、貼り薬、では、治療薬や予防薬は一時的な投与であるので、急激な強い薬は継続的には使えず、全体投与量が少なくなっていった。  その為に継続的投与には、経口や肛門や注射投与、離れた部分への貼り薬しか出来なかった。  部屋への置いて使う特定香料などは多量に必要であり、継続的に出来ても複数人では使えない場合がある。
鼻から気道への貼り薬では、継続的に出来ても美容的に問題があった。
夏の花粉症そして塵埃、職業上でのマスクの装着は抵抗が多かった。
真夏の屋外は暑く、スポーツや観戦、レジャー、産業活動などは帽子を被って濡れたタオルで頭を冷やして暑さをしのいでいた。
【０００３】
【発明が解決しようとする課題】
水分は常に継続的に補給していて、使用者の活動に制限や邪魔にならないのが課題である。
蒸発促進させる熱源に、火傷をしてはならないのが課題である。
従来のマスクの機能をも低下させずにさらに新鮮な空気が入っても湿温度が下がらない事が課題である。
水分を貯溜する器に再度の水分を補給を行う時には、外側に水分が濡れ出ない事、簡単に補給を行える事が課題である
継続的に使用して美容的に見て問題にならないのが課題である。
冷物によって凍傷にならないのが課題である。
【０００４】
【課題を解決するための手段】
本発明は、上記目的を達成するために、以下の様に構成したものである。
マスクの中に湿った部分、又は物を発散する部分を作り、カイロで温めて水分や固体を蒸発や昇華させる。  より湿った空気や有効な成分を気化充満し呼吸可能にする。  多量の水分は常にマスク外から補給して、潤沢に湿らせて外部には水分が漏れない為に密封しておく。
マスクが気道への治療や予防への目的物薬を投与手段で持続的にする。
マスクや身体が涼しく感じる物をを置いたり、気化熱で涼しい感じを作る。
【０００５】
【作用】
６貯水器から４マスク紐へと沿って５給水導管を通って水が湿った布に移動するが、６貯水器が１マスクより下にある場合は毛細管現象で移動し、６貯水器が１マスクより上にある場合は、５給水導管は細い管か毛細管現象で水を移動する。
【０００６】
【実施例】
以下、本発明の実施例を図面によって説明する。
図面は、実施例で図１は、１マスクに２カイロ（使い捨て）をマスク内ポケットを設置して入れたり、若しくは貼ったりする。  そして２カイロに貼り着けた湿った布３ガーゼは、３ガーゼと５給水導管と繋がり、５給水導管は６貯水器と繋がり継続的に水分は移動可能である。  睡眠中などの２カイロによる火傷を防止の為に、鼻とマスクの間を空けて７安全体を付ける。  ６貯水器の位置は使用者の行動目的により、外出活動時などには使用の鉢巻き型、頭の上の帽子型にする方法、ヘッドホーン型方法、睡眠中にはアイマスクに貼りつけたり、アイマスク型兼用にする方法、屋内などのではメガネの様に耳に掛ける型で４マスク紐と兼用する方法、１マスクの前や中や鼻に触れる側そして額縁型などに設置する方法。  １マスクより下の場合は襟巻きや首掛けの様にする方法もある。  少量の場合は４マスク紐が５給水導管や６貯水器と兼ねたりして、これらは使用量や活動状況によって弊害が少ない様に会わせる。  ６貯水器への水分補充にはスポイド方式で吸わせる。  １マスクへ固体で昇華や発散する物は、１マスク内に入れるか、貼り付けて発散させ継続的に使用する。  少量液体物などは、移動毛細管現象は使わず直接に１マスク内に６貯水器を入れるか、貼り付けて漏らすか昇華発散させ使用する。
実施例で図２は、２カイロと６貯水器そして１４専用ガーゼそして７安全体を一体にして使い捨てにして、１マスクに貼り着けた場合の断面図である。  ７安全体は２カイロの強い熱さが肌に伝わりにくい物にして、１マスクに接する中心部分は網目状や格子状などで通気出来る物で直接肌に着く。  ２カイロは１３通気穴があり、細かくして多数にする方法もある。  ６貯水器にも３通気穴を設置するが２カイロとで通気が出来て、１４専用ガーゼから発生する蒸気など、そして呼吸気が通気出来る。    これらは一体にして１マスクに貼り着く方法であるが、別の方法では１マスクの中へ入れて貼らずに使用する事も出来る。  ７安全体は浅い筒型にして、２カイロの強い熱さが１マスクの中心部の肌との接する面を空間にし、伝わりにくくなる方法もある。  ６貯水器の中の水分は、全部の水分が１４専用ガーゼへ毛細管現象で伝わり出される為に、６貯水器の中の全体に１枚の布を入れておく。  マスクは通常耳に掛けて使用するが、睡眠時には外れる可能性があるので、睡眠時用はマスクの保定には、頭全体を伸縮する網目状か帯状を顎まで掛けて、７安全体とが一体にしてマスクとを保定する。
１マスク内で薬気を発散させるには、水分へ薬用液体などを注入して蒸発させる方法であるが、利用目的が多種な時や繁雑な場合は、複数がそれぞれ独立して、それぞれが薬用液体若しくは固体でも密封してあるのを、使用時にそれぞれの口元を剥がし開封してマスク内に貼り着けて、蒸発か昇華させて使用もする。
上記は２カイロで蒸気などを利用するが、マスク内を冷やす実施例の場合です。
図面２の２カイロだけを外して、１４専用ガーゼから水分が蒸発して気化熱で冷やす方法である。  この場合は７安全体は必要なくなる。  １４専用ガーゼは１マスクの外側に移動設置する。  ６貯水器の中の水分を毛細管現象で１４専用ガーゼで移動して気化させる。  １マスクの材質がガーゼなどでは、１４専用ガーゼは省ける。  この気化熱を発散させて冷やす方法を利用して、帽子の中か回りへ水分を貯水して、外側へ気化熱を発散させて冷やす、夏型帽子が出来る。第２の冷やす実施例の場合です。  図面２の、２カイロと６貯水器そして７安全体を外します。  図面２の、２カイロの部分へ冷凍庫で凍らせ冷やした物（商品名アイスノン  以後冷物と言う）だけに取り変えて冷気を吸う。  冷物の肌側には１４専用ガーゼを厚くして１マスクに取り付けて凍傷を予防する。  冷物の中心部に１３通気穴を設置して冷気を使う。  冷物は使用すると温まるので、取り替え可能の為に、１マスク内にポケットを設置するか、マジックテープを付けて取り替えをする。
実施例で図３は、１５蒸気発生ケースと１６蒸気ホースの斜視図である。
２カイロと６貯水器そして１４専用ガーゼが一体になり、１５蒸気発生ケースの中で密封され蒸気を発生させる。  １５蒸気発生ケースの中で２カイロなどが開封されると熱を発生する、６貯水器の口元も同時に開かれ１４専用ガーゼが６貯水器の中の水分を吸い上げて蒸気を出す。  １５蒸気発生ケースの中の蒸気圧力が高まり１６蒸気ホースへと出て行く、そして１マスクの中の鼻の前に蒸気を出して呼吸に利用する。    １６蒸気ホースから出てきた蒸気は、肌には直接に当たらない為に、ホース出口はマスク側へ向けてマジックテープを付けて固定する。  １５蒸気発生ケースと１６蒸気ホースは、熱が外部に逃げない為に断熱をする。  １５蒸気発生ケースは衣服に着ける為にマジックテープや紐を着けて着脱する。  マジックテープを付けずに１６蒸気ホースを長くにして衣服のポケットなどに入れて使用する事もできる。  １６蒸気ホースの蒸気は、耳の横の４マスク紐に沿って１マスク中へ入り蒸気を出す。  ケースやホースなどを使い捨てにすると、ケースの外側に糊を着けて衣服に貼り簡便に利用する方法もある。  １７ケース蓋は回転して２カイロなどを出し入れして１５蒸気発生ケースを密封するが、ガマグチ型にして密封する方法などもある。
上記は２カイロと水分で湿暖気をケースで作りホースで外へ送るが、冷やす場合のケースで冷気を作りホースで外へ送る実施例です。
図面３の１５蒸気発生ケースを使って、冷やす場合の実施例です。  １５蒸気発生ケースに空気吸入口の穴を設置する。  ２カイロだけを外して、６貯水器と１４専用ガーゼ、そして新たにモーターと扇風機と電池を入れて、１４専用ガーゼから水分が動力で強制的に蒸発させ気化熱で冷やす方法です。  １６蒸気ホースで冷気を１マスクや身体に送る方法である。
図面３の１５蒸気発生ケースを使って、冷やす場合の第２の実施例です。１５蒸気発生ケースに空気吸入口の穴を設置する。  １５蒸気発生ケース中の２カイロと６貯水器そして１４専用ガーゼを取り出して、冷物（商品名アイスノン）に変えて、さらにモーターと扇風機と電池を設置する。    扇風機を回転させ風を当てて冷物から強制的に冷気が出来て、１６蒸気ホースへと出て行きマスクの中で冷気を放出を利用する。
冷物は扇風機の風が広く接触する為に、幾重にも折り畳んだ様にしておく。
【０００７】
【発明の効果】
以上の説明から明きらかの様に、本発明によると、このマスクにより冬の乾燥してる時には、風邪の予防には湿った暖気を吸う事が、睡眠中や外出やゴルフなど、何時でも何処でも湿った暖気を吸う事が可能になる。
マスクによる鼻からの吸引方法では、治療薬や予防薬は一時的ではなく持続的に可能になる。予防薬には睡眠促進、活動期のすっきりさせ活動促進させる香料なを入れる事も出来る。
夏の花粉症そして塵埃、職業上でのマスクの装着は抵抗が大きいが装着すると気持ちが良いので能率が上がる。
マスクの中を冷やすと呼吸が落ち着き循環呼吸器予防にもなる。
真夏の屋外スポーツや観戦、レジャー、産業活動は帽子の下に冷気を当てたり、涼しい帽子を被って行動出来る。
【図面の簡単な説明】
【図１】顔にマスクを付けた断面図である。
【図２】マスクに使い捨てカイロなどを一体に付けた断面図である。
【図３】１５蒸気発生ケースと１６蒸気ホースの斜視図である。
【符号の説明】
１  マスク    ２  カイロ    ３  ガーゼ    ４  マスク紐    ５  給水導管
６  貯水器    ７  安全体    ８  鼻    ９  耳    １０  頭    １１  眼
１２  口    １３  通気穴    １４  専用ガーゼ    １５  蒸気発生ケース
１６  蒸気ホース    １７  ケース蓋    １８  ケース紐穴
【図１】
2004188146.tif 000003
【図２】
2004188146.tif 000004
【図３】
2004188146.tif 000005